(57)【特許請求の範囲】
【請求項１】
外周面にネジ部が形成されたスパウトを有するスパウト付きパウチと；
チューブ部材を接続するための接続部と、前記接続部に連設され且つ締方向に回転させることにより前記スパウトのネジ部に螺合可能な取付部と、外周面に形成されたネジ部と、を有するアダプタと；
前記アダプタの外周面のネジ部に螺合可能で且つ前記接続部を封緘可能なキャップ本体と、前記キャップ本体に架橋部を介して架橋され且つ前記アダプタの外周面に外嵌可能な環状部と、を有するスクリューキャップと；を備え、
前記アダプタと前記スクリューキャップは互いに独立した部材であり、
前記アダプタが、前記取付部を介して前記スパウトに螺合され、
前記取付部は、前記アダプタの緩方向の回転を規制する回止め手段によって前記スパウトに係合されており、
前記キャップ本体が、前記アダプタの締方向と同じ方向に回転させることによって前記アダプタのネジ部に螺合されていると共に、前記環状部が、前記アダプタの外周面に外嵌され且つ前記キャップ本体の緩方向に回転しないようにアダプタに係合しており、
前記架橋部が、前記キャップ本体を緩方向に回転させたときに破断することを特徴とするキャップ付きアダプタを備えるスパウト付きパウチ。
【請求項２】
前記スクリューキャップの下端面が前記アダプタの下端面よりも上方に位置している請求項１に記載のキャップ付きアダプタを備えるスパウト付きパウチ。
【請求項３】
スパウト付きパウチのスパウトとチューブ部材とを接続するアダプタと、前記アダプタに取り付けられるスクリューキャップと、を有するキャップ付きアダプタであって、
前記アダプタが、チューブ部材を接続するための接続部と、前記接続部に連設され且つ締方向に回転させることによりスパウトのネジ部に螺合可能な取付部と、外周面に形成されたネジ部と、を有し、
前記スクリューキャップが、前記アダプタの外周面のネジ部に螺合可能で且つ前記接続部を封緘可能なキャップ本体と、前記キャップ本体に架橋部を介して架橋され且つ前記アダプタの外周面に外嵌可能な環状部と、を有し、
前記アダプタと前記スクリューキャップは互いに独立した部材であり、
前記取付部には、スパウトに係合することによって前記アダプタの緩方向の回転を規制する回止め手段が設けられており、
前記キャップ本体が、前記アダプタの締方向と同じ方向に回転させることにより前記アダプタのネジ部に螺合されていると共に、前記環状部が、前記アダプタの外周面に外嵌され且つ前記キャップ本体の緩方向に回転しないようにアダプタに係合しており、
前記架橋部が、前記キャップ本体を緩方向に回転させたときに破断することを特徴とするキャップ付きアダプタ。
【発明の詳細な説明】
【技術分野】
【０００１】
本発明は、チューブ部材を接続するためのアダプタが経腸栄養剤などが充填されたスパウト付きパウチに取り付けられている、キャップ付きアダプタを備えるスパウト付きパウチに関する。
【背景技術】
【０００２】
従来、ビタミン類やアミノ酸などを含む経腸栄養剤、流動食、水分補強ゼリーなどを患者に投与するため、経腸栄養剤などが充填されたスパウト付きパウチが用いられている。
このスパウト付きパウチ内の充填物を患者に投与する際には、スパウトにカテーテルのようなチューブ部材を取り付けるが、一般には、スパウトとチューブ部材は、アダプタを介して取り付けられる。
特許文献１には、チューブ部材を圧入する先細テーパ状の接続部とスパウトに取り付ける取付部とを有し、前記接続部に形状の異なる滑り止め部が形成されている、アダプタが開示されている。
【０００３】
かかるアダプタは、次のようにして使用される。
スパウト付きパウチのスパウトからキャップを外し、スパウトの注出口を開口させる。次に、スパウトのネジ部にアダプタの取付部を螺合する。このアダプタの接続部にチューブ部材を接続する。そして、このチューブ部材を通じて、スパウト付きパウチ内の充填物が患者などに投与される。
【０００４】
しかしながら、スパウトのキャップを外し、さらに、アダプタを取り付けている間に、スパウトの注出口やネジ部に粉塵や雑菌などが付着するおそれがある。また、スパウトにアダプタを取り付ける際には、アダプタの接続部を手で持ってスパウトに螺合するので、衛生面から好ましいものとは言えない。
【０００５】
さらに、アダプタをスパウトに完全に螺合させずに、チューブ部材を接続して使用する場合がある。一方、当初、アダプタをスパウトに完全に螺合させていても、アダプタの接続部には患者に繋がったチューブ部材が接続されているので、使用している間に、アダプタの取付部がスパウトから緩むおそれがある。また、使用途中で、患者などが誤ってアダプタを回してスパウトから外すおそれもある。アダプタがスパウトに完全に螺合していないと、スパウトとアダプタの隙間から充填物が漏れてしまう。
【０００６】
加えて、従来のアダプタにあっては、チューブ部材を接続して充填物を投与し始めると、その途中で投与を一旦止め、チューブ部材をアダプタから外すことができない。チューブ部材をアダプタから外すと、アダプタの注出口を密封状に封緘しなければならないが、従来のアダプタは、その注出口を適切に且つ簡易に封緘するための手段を有さない。
【先行技術文献】
【特許文献】
【０００７】
【特許文献１】特開２００９−１３６４２７号公報
【発明の概要】
【発明が解決しようとする課題】
【０００８】
本発明の目的は、アダプタがスパウトから緩まず、又、キャップを用いてアダプタを再封することもできる、キャップ付きアダプタを備えるスパウト付きパウチを提供することである。
また、本発明の他の目的は、スパウト付きパウチのスパウトに緩まないように取り付けることができ、又、キャップを用いて再封することができるキャップ付きアダプタを提供することである。
【課題を解決するための手段】
【０００９】
本発明のキャップ付きアダプタを備えるスパウト付きパウチは、外周面にネジ部が形成されたスパウトを有するスパウト付きパウチと；チューブ部材を接続するための接続部と、前記接続部に連設され且つ締方向に回転させることにより前記スパウトのネジ部に螺合可能な取付部と、外周面に形成されたネジ部と、を有するアダプタと；前記アダプタの外周面のネジ部に螺合可能で且つ前記接続部を封緘可能なキャップ本体と、前記キャップ本体に架橋部を介して架橋され且つ前記アダプタの外周面に外嵌可能な環状部と、を有するスクリューキャップと；を備え、前記アダプタと前記スクリューキャップは互いに独立した部材であり、前記アダプタが、前記取付部を介して前記スパウトに螺合され、前記取付部は、前記アダプタの緩方向の回転を規制する回止め手段によって前記スパウトに係合されており、前記キャップ本体が、前記アダプタの締方向と同じ方向に回転させることによって前記アダプタのネジ部に螺合されていると共に、前記環状部が、前記アダプタの外周面に外嵌され且つ前記キャップ本体の緩方向に回転しないようにアダプタに係合しており、前記架橋部が、前記キャップ本体を緩方向に回転させたときに破断する。
【００１０】
上記キャップ付きアダプタを備えるスパウト付きパウチは、スパウトにキャップ付きアダプタが取り付けられているので、使用者がアダプタをスパウトに取り付ける必要がないので、取り扱いが簡便である。
また、キャップ本体を回すと、架橋部が破断してキャップ本体だけがアダプタから外れるので、アダプタに直接手が触れずに衛生的である。
キャップ本体を外した後には、アダプタの接続部にチューブ部材を圧入することにより、チューブ部材を通じて、充填物をアダプタから注出できる。このアダプタは、回止め手段によってスパウトから緩まないので、充填物の注出中に、アダプタとスパウトの間から充填物が漏れることもなく、又、患者や補助者などが誤ってアダプタを回そうとしても、アダプタがスパウトから緩むこともない。
さらに、取り外したキャップ本体は、アダプタのネジ部に再度螺合させることもできるので、充填物の注出を一旦止め、アダプタにキャップ本体を再度螺合して、アダプタを簡単に再封することもできる。
【００１１】
本発明の好ましいキャップ付きアダプタを備えるスパウト付きパウチは、前記スクリューキャップの下端面が前記アダプタの下端面よりも上方に位置している。
このようにスクリューキャップの下端面がアダプタの下端面よりも上方に位置していれば、キャップ付きアダプタを正面から見て、アダプタの下方部を視認できる。よって、スクリューキャップがアダプタに対して完全に螺合しているかどうかを外部から容易に確認できる。
【００１２】
本発明の別の局面によれば、キャップ付きアダプタを提供する。
本発明のキャップ付きアダプタは、スパウト付きパウチのスパウトとチューブ部材とを接続するアダプタと、前記アダプタに取り付けられるスクリューキャップと、を有するキャップ付きアダプタであって、前記アダプタが、チューブ部材を接続するための接続部と、前記接続部に連設され且つ締方向に回転させることによりスパウトのネジ部に螺合可能な取付部と、外周面に形成されたネジ部と、を有し、前記スクリューキャップが、前記アダプタの外周面のネジ部に螺合可能で且つ前記接続部を封緘可能なキャップ本体と、前記キャップ本体に架橋部を介して架橋され且つ前記アダプタの外周面に外嵌可能な環状部と、を有し、前記アダプタと前記スクリューキャップは互いに独立した部材であり、前記取付部には、スパウトに係合することによって前記アダプタの緩方向の回転を規制する回止め手段が設けられており、前記キャップ本体が、前記アダプタの締方向と同じ方向に回転させることにより前記アダプタのネジ部に螺合されていると共に、前記環状部が、前記アダプタの外周面に外嵌され且つ前記キャップ本体の緩方向に回転しないようにアダプタに係合しており、前記架橋部が、前記キャップ本体を緩方向に回転させたときに破断する。
【発明の効果】
【００１３】
本発明のキャップ付きアダプタを備えるスパウト付きパウチは、充填物を注出する際の取り扱いが簡便である上、アダプタがスパウトから緩まないので、液漏れのおそれがなく、さらに、充填物の注出を一旦止めて、アダプタを再封することもできる。
本発明のキャップ付きアダプタは、スパウト付きパウチのスパウトに螺合することによって簡単に取り付けることができ、又、取付後にはスパウトから緩まない。従って、液漏れすることなく、スパウト付きパウチの充填物を注出できる。
【図面の簡単な説明】
【００１４】
【図１】本発明の１つの実施形態に係るキャップ付きアダプタを備えるスパウト付きパウチの正面図。ただし、スパウト付きパウチの袋は、その一部を省略して表している（他の図も同様）。
【図２】図１のＩＩ−ＩＩ線拡大断面図。
【図３】図１のＩＩＩ−ＩＩＩ線拡大断面図。
【図４】スパウト付きパウチにキャップ付きアダプタを取り付ける前の正面図。
【図５】本発明の１つの実施形態に係るアダプタの正面図。
【図６】同底面図。
【図７】図５のＶＩＩ−ＶＩＩ線断面図。
【図８】本発明の１つの実施形態に係るスクリューキャップの正面図。
【図９】同底面図。
【図１０】図８のＸ−Ｘ線断面図。
【図１１】キャップ本体を取り外した状態のアダプタを備えるスパウト付きパウチの正面図。
【発明を実施するための形態】
【００１５】
＜キャップ付きアダプタを備えるスパウト付きパウチの概要＞
以下、本発明の好ましい実施形態について、図面を参照しつつ具体的に説明する。
図１〜図４において、本発明のキャップ付きアダプタＢを備えるスパウト付きパウチＡは、外周面にネジ部１８が形成されたスパウト１を有するスパウト付きパウチＡと、スパウト付きパウチＡのスパウト１とチューブ部材（図示せず）とを接続するアダプタ３とアダプタ３に装着されたスクリューキャップ４とを有するキャップ付きアダプタＢと、を有する。
チューブ部材とは、従来と同様に、充填物を患者などに投与するために使用される部材であって、スパウト付きパウチＡと患者などを繋げるチューブである。
【００１６】
アダプタ３は、チューブ部材を接続するための接続部５と、接続部５に連設され且つ締方向に回転させることによりスパウト１のネジ部１８に螺合可能な取付部６と、外周面に形成されたネジ部７と、を有し、前記取付部６には、スパウト１に係合することによってアダプタ３の緩方向の回転を規制する回止め手段が設けられている。
スクリューキャップ４は、アダプタ３の外周面のネジ部７に螺合可能で且つ接続部５を封緘可能なキャップ本体８と、キャップ本体８に架橋部８９を介して架橋され且つアダプタ３の外周面に外嵌可能な環状部９と、を有し、架橋部８９はキャップ本体８を緩方向に回転させたときに破断するように構成されている。
キャップ付きアダプタＢにおいては、アダプタ３の締方向と同じ方向にスクリューキャップ４を回転させることにより、キャップ本体８がアダプタ３のネジ部７に螺合されていると共に、環状部９がアダプタ３の外周面に外嵌され且つアダプタ３に対してキャップ本体８の緩方向に回転しないようにアダプタ３に係合している。
【００１７】
キャップ付きアダプタＢを備えるスパウト付きパウチＡは、アダプタ３の取付部６がアダプタ３の緩方向の回転を規制する回止め手段によってスパウト付きパウチＡのスパウト１に係合された状態で、キャップ付きアダプタＢが取付部６を介してスパウト１に螺合されている。
以下、各構成部材ごとに分説しつつ、本発明のキャップ付きアダプタを備えるスパウト付きパウチ及びキャップ付きアダプタの実施形態を説明する。
【００１８】
＜スパウト付きパウチＡについて＞
スパウト付きパウチＡは、図１及び図４に示すように、袋２と、袋２に装着されたスパウト１と、を有する。
袋２内には、充填物が充填されている。充填物は特に限定されず、例えば、経腸栄養剤、流動食、水分補強ゼリーなどが挙げられる。
【００１９】
スパウト１は、その上端部の内側に注出口が開口された略円筒状であり、図４に示すように、その外周面にはネジ部１８が形成されている。この注出口から袋２内に充填物を充填できる。すなわち、注出口から袋２内に充填物を充填した後、スパウト１にキャップ付きアダプタＢを取り付けて注出口を閉栓することにより、充填済みのスパウト付きパウチＡを得ることができる。
スパウト１の材質は特に限定されないが、通常、ポリエチレンやポリプロピレンなどのオレフィン系樹脂などの合成樹脂によって形成される。
また、袋２は、周囲を熱シールなどで接着した柔軟なフィルムから形成されている。
【００２０】
また、スパウト１の外周面の、前記ネジ部１８の下方には、アダプタ３の取付部６の内周面に設けられた被係合部６１に係合する係合部１１が形成されている。
以下、アダプタ３の取付部６に設けられた被係合部を、取付部被係合部６１といい、スパウト１の外周面に設けられた係合部を、スパウト係合部１１という。
【００２１】
スパウト係合部１１は、図２に示すように、スパウト１の外周面からアダプタ３の締方向外側に延びる傾斜面１１ａと、アダプタ３の緩方向に対向する係合面１１ｂと、を有する。以下、この傾斜面を、スパウト傾斜面１１ａといい、この係合面を、スパウト係合面１１ｂという。
スパウト傾斜面１１ａは、スパウト１の外周面の接線に対して鈍角状に延出された面である。前記スパウト傾斜面１１ａとスパウト１の外周面の接線との成す角は、鈍角であれば特に限定されず、例えば、１２０度〜１７５度であり、好ましくは、１３５度〜１７０度である。
スパウト係合面１１ｂは、例えば、スパウト１の外周面の接線に対して略直交するように形成されている。
【００２２】
スパウト係合部１１の数は、特に限定されず、少なくとも１つ設けられ、好ましくは２つ以上（複数）であり、より好ましくは取付部被係合部６１の数の１／２倍である。なお、本実施形態では、４つのスパウト係合部１１が設けられている。
スパウト係合部１１が複数設けられる場合、各スパウト係合部１１は、スパウト１の外周面の周方向に所定間隔を開けて設けられ、好ましくは、一定間隔（等間隔）に設けられる。
【００２３】
＜アダプタについて＞
アダプタ３は、図５〜図７にも示すように、接続部５と、接続部５に一体的に連設された取付部６と、取付部６に対応する外周面から突設されたネジ部７と、を有する。前記取付部６には、回止め手段が設けられている。
前記取付部６の外周面に形成されたネジ部７の螺旋方向は、スパウト１の外周面に形成されたネジ部１８の螺旋方向と同じである。
接続部５、取付部６、及びネジ部７は、ポリエチレンやポリプロピレンなどのオレフィン系樹脂などの合成樹脂又は金属などを用いて一体的に形成されている。
【００２４】
接続部５及び取付部６は、それぞれ横断面が略円となる筒状である。接続部５及び取付部６の内部の各空洞は、軸方向に連通されている。従って、アダプタ３の内部には、軸方向に延びる１つの通路が形成されている。
【００２５】
接続部５は、先端側の小径接続部５１と、この小径接続部５１と取付部６の間に形成された大径接続部５２と、からなる。接続部５は、この小径接続部５１及び大径接続部５２が一体的に形成された、全体として略円錐台筒状である。小径接続部５１の先端部の内側には開口が形成されている。
小径接続部５１及び大径接続部５２の各外周面には、滑り止め加工として複数の突起５１ａ，５２ａが形成されている。小径接続部５１及び大径接続部５２の各外周面に形成された複数の突起５１ａ，５２ａは、その形状が異なっている。小径接続部５１に形成された複数の突起５１ａは、断面略鋸刃状であり、一方、大径接続部５２に形成された複数の突起５２ａは、断面略半円状である。
なお、上記各突起５１ａ，５２ａの形状は異なっているが、何れもが断面略鋸刃状又は略半円状であってもよいし、或いは、その他の断面形状であってもよい。
【００２６】
取付部６は、略円筒状であり、その内周面にはネジ部６８が形成されている。取付部６は、アダプタ３を締方向に回転させることにより、前記ネジ部６８を介して、スパウト付きパウチＡのスパウト１のネジ部１８に螺合可能である。
なお、アダプタ３の締方向は、アダプタ３の軸回りの一方向であり、一般的には、アダプタ３の軸を上から見た場合の時計回り方向である。
さらに、取付部６には、前記ネジ部６８を介してスパウト１に完全に螺合させた状態でアダプタ３を緩方向に回転させたときに、その緩方向の回転を規制する回止め手段が設けられている。なお、アダプタ３の緩方向は、前記締方向と反対方向（アダプタ３の軸回りの他方向）である。
また、前記完全に螺合とは、アダプタ３とスパウト１との間から充填物が漏れないように螺合した状態をいう。
【００２７】
回止め手段は、例えば、取付部６の内周面に設けられている。
具体的には、取付部６の内周面には、その周方向に被係合部（取付部被係合部６１）が内側に向かって突設されている。取付部被係合部６１は、図２に示すように、上記スパウト係合部１１に係合することによって、アダプタ３の緩方向の回転を規制する。取付部被係合部６１は、アダプタ３の取付部６をスパウト１に完全に螺合した際にスパウト係合部１１に係合する。なお、取付部６の内周面の上方部には、図３及び図７に示すように、アダプタ３をスパウト１に完全に螺合させたときに、スパウト１の上端部の内周面に水密状に密着するシール部６５が周設されている。
【００２８】
取付部被係合部６１の数は、特に限定されず、少なくとも１つ設けられ、好ましくは２つ以上（複数）であり、より好ましくはスパウト係合部１１の数の２倍である。なお、本実施形態では、８つの取付部被係合部６１が設けられている。
取付部被係合部６１が複数設けられる場合、各取付部被係合部６１は、取付部６の内周面の周方向に所定間隔を開けて設けられ、好ましくは、一定間隔（等間隔）に設けられる。
【００２９】
取付部被係合部６１は、取付部６の内周面からアダプタ３の緩方向に延びる被傾斜面６１ａと、アダプタ３の締方向に対向する被係合面６１ｂと、を有する。以下、この被傾斜面を、取付部被傾斜面６１ａといい、この被係合面を、取付部被係合面６１ｂという。
取付部被傾斜面６１ａは、図２及び図６に示すように、取付部６の内周面の接線（厳密には、内周面を形作る円形線に対して引いた接線）に対して鈍角状に延出された面である。前記取付部被傾斜面６１ａと取付部６の内周面の接線との成す角は、鈍角であれば特に限定されず、例えば、１２０度〜１７５度であり、好ましくは、１３５度〜１７０度である。
取付部被係合面６１ｂは、取付部被傾斜面６１ａの先端部（緩方向先端部）に形成されている。
【００３０】
本実施形態では、取付部被傾斜面６１ａ及び取付部被係合面６１ｂを有する取付部被係合部６１は、図２及び図６に示すように、取付部６の内周面から緩方向内側に向かって突設され且つ後端部が前記内周面に繋がった板状部から構成されている。板状部からなる取付部被係合部６１によれば、その板バネ作用により、取付部被係合部６１が外側に変形しながらスパウト係合部１１を乗り越えることができるので、簡単にアダプタ３をスパウト１に完全に螺合できる。
【００３１】
もっとも、取付部被係合部６１は、板状部から形成されていなくてもよく、例えば、取付部６の内周面の一部が盛り上がった中実状の突部から構成されていてもよい。取付部被係合部６１が中実状の突部から構成されていても、アダプタ３をスパウト１に螺合した際、取付部被係合部６１、取付部６及び／又はスパウト係合部１１がそれぞれ若干変形するので、アダプタ３をスパウト１に完全に螺合できる。
【００３２】
さらに、取付部６の外周面の下方には、環状部９の内周面に設けられた被係合部９３に係合する係合部６３が形成されている。以下、環状部９に設けられた被係合部を、環状部被係合部９３といい、取付部６の外周面に設けられた係合部を、取付部係合部６３という。
【００３３】
取付部係合部６３は、図２及び図６に示すように、取付部６の外周面からアダプタ３の締方向外側に延びる傾斜面６３ａと、アダプタ３の緩方向に対向する係合面６３ｂと、を有する。以下、この傾斜面を、取付部傾斜面６３ａといい、この係合面を、取付部係合面６３ｂという。
取付部傾斜面６３ａは、取付部６の外周面の接線に対して鈍角状に延出された面である。前記取付部傾斜面６３ａと取付部６の外周面の接線との成す角は、鈍角であれば特に限定されず、例えば、１２０度〜１７５度であり、好ましくは、１３５度〜１７０度である。
取付部係合面６３ｂは、例えば、取付部６の外周面の接線に対して略直交するように形成されている。
【００３４】
取付部係合部６３の数は、特に限定されず、少なくとも１つ設けられ、好ましくは２つ以上（複数）であり、より好ましくは環状部被係合部９３の数の１／２倍である。なお、本実施形態では、４つの取付部係合部６３が設けられている。
取付部係合部６３が複数設けられる場合、各取付部係合部６３は、取付部６の外周面の周方向に所定間隔を開けて設けられ、好ましくは、一定間隔（等間隔）に設けられる。
【００３５】
さらに、取付部６の外周面であって、前記ネジ部７と取付部係合部６３の間における取付部６の外周面には、図５に示すように、その周方向に渡って環状の小突部６６が外側に突設されている。
環状の小突部６６の突出頂部の外径は、キャップ本体８の下方内周面の内径よりも僅かに小さく且つ環状部９の上方内周面の内径よりも僅かに大きい。
スクリューキャップ４がアダプタ３に完全に螺合した状態において、環状部９の上端面は取付部６の小突部６６と取付部係合部６３の間に位置している。
【００３６】
＜スクリューキャップについて＞
スクリューキャップ４は、図８〜図１０にも示すように、キャップ本体８と、キャップ本体８の下端面よりも下方に位置し且つ架橋部８９を介してキャップ本体８の下端に架橋された環状部９と、を有する。
キャップ本体８、架橋部８９、及び環状部９は、ポリエチレンやポリプロピレンなどのオレフィン系樹脂などの合成樹脂などを用いて一体的に形成されている。
【００３７】
キャップ本体８は、取付部係合部６３が設けられた周囲を除く取付部６の外周面全体及び接続部５の外周面全体を覆う筒状部８１と、この筒状部８１の上端に設けられた天板部８２と、を有する。
前記筒状部８１は、上方に向かうに従って小径となる横断面が略円の筒状である。前記天板部８２は、アダプタ３の接続部５の開口を塞ぐ部分である。天板部８２の下面には、スクリューキャップ４をアダプタ３に完全に螺合させたときに、アダプタ３の小径接続部５１の上端部の内周面に水密状に密着するシール部８５が周設されている。
なお、前記完全に螺合とは、スクリューキャップ４とアダプタ３との間から充填物が漏れないように螺合した状態をいう。
【００３８】
アダプタ３の取付部６に対応するキャップ本体８の内周面には、取付部６のネジ部７に螺合するネジ部８７が形成されている。
このキャップ本体８の内周面に形成されたネジ部の螺旋方向は、アダプタ３の取付部６の内周面に形成されたネジ部の螺旋方向と同じ方向である。アダプタ３に対するキャップ本体８の締方向及び締方向は、それぞれ、スパウト１に対するアダプタ３の締方向及び緩方向と同じである。
【００３９】
また、キャップ本体８の下端面には、図８に示すように、環状部９の上端面から突設されたキャップ嵌合凸部９４に嵌合するキャップ嵌合凹部８４が凹設されている。
キャップ嵌合凸部９４とキャップ嵌合凹部８４が嵌合された状態で、キャップ本体８の下端は、脆弱な細い架橋部８９を介して、環状部９と連結されている。
このキャップ嵌合凹部８４は、スクリューキャップ４をアダプタ３に取り付けるべく、キャップ本体８を締方向に回転させたときに、キャップ嵌合凸部９４に係合する。従って、環状部９は、キャップ本体８の締方向の回転に追従してその方向に回転する。一方、キャップ本体８を緩方向に回転させたときには、キャップ嵌合凸部９４とキャップ嵌合凹部８４の係合が解除されてキャップ本体８のみが回転し、架橋部８９が破断してキャップ本体８のみがアダプタ３から外れる。
【００４０】
キャップ嵌合凹部８４は、上述のように、キャップ本体８を締方向に回転させたときに、キャップ嵌合凸部９４に係合し、且つ、キャップ本体８を緩方向に回転させたときに、キャップ嵌合凸部９４との係合が解除され得るように形成されていれば、その形状は特に限定されない。
例えば、キャップ嵌合凸部９４は、環状部９の上端面からキャップ本体８の緩方向上側に延びる傾斜面９４ａと、環状部９の上端面に対して略直交し且つスクリューキャップ４の締方向に対向する係合面９４ｂと、を有する。
一方、キャップ嵌合凹部８４は、前記キャップ嵌合凸部９４と同様な正面視略直角形状の凹み部であり、キャップ嵌合凸部９４の傾斜面９４ａに対面する傾斜面８４ａと、キャップ嵌合凸部９４の係合面９４ｂに対面する係合面８４ａと、を有する。
【００４１】
キャップ嵌合凸部９４とキャップ嵌合凹部８４は同数設けられる。
本実施形態では、キャップ嵌合凸部９４及びキャップ嵌合凹部８４の数は、それぞれ対応して２箇所設けられているが、それぞれ１箇所でもよいし、それぞれ対応して３箇所以上設けられていてもよい。
【００４２】
上記環状部９は、スクリューキャップ４をアダプタ３に完全に螺合させた状態において、キャップ本体８の緩方向に回転不能で且つアダプタ３から上下方向に抜脱困難に係止されている。
具体的には、環状部９の内周面には、図２及び図９に示すように、取付部係合部６３に係合する被係合部（環状部被係合部９３）が形成されている。
この環状部被係合部９３は、環状部９の内周面からキャップ本体８の緩方向内側に延びる被傾斜面９３ａと、キャップ本体８の締方向に対向する被係合面９３ｂと、を有する。以下、この被傾斜面を、環状部被傾斜面９３ａといい、この被係合面を、環状部被係合面９３ｂという。
【００４３】
環状部被傾斜面９３ａは、環状部９の内周面の接線に対して鈍角状に延出された面である。前記環状部被傾斜面９３ａと環状部９の内周面の接線の成す角は、鈍角であれば特に限定されず、例えば、１２０度〜１７５度であり、好ましくは、１３５度〜１７０度である。
環状部被係合面９３ｂは、環状部被傾斜面９３ａの先端部（緩方向先端部）に形成されている。
【００４４】
環状部被係合部９３の数は、特に限定されず、少なくとも１つ設けられ、好ましくは２つ以上（複数）である。なお、本実施形態では、８つの環状部被係合部９３が設けられている。
環状部被係合部９３が複数設けられる場合、各環状部被係合部９３は、環状部９の内周面の周方向に所定間隔を開けて設けられ、好ましくは、一定間隔（等間隔）に設けられる。
【００４５】
架橋部８９は、キャップ本体８と環状部９の間に少なくとも１箇所設けられ、好ましくは、キャップ本体８の周方向に等間隔に２箇所〜４箇所設けられる。架橋部８９は、環状部９がキャップ本体８から不用意に外れない程度に両者を連結できる細い線状部である。かかる架橋部８９は、アダプタ３に回転不能に係合された環状部９に対してキャップ本体８を緩方向に回転させたときに、その回転力によって捩られることによって、容易に破断し得る。
【００４６】
＜キャップ付きアダプタについて＞
キャップ付きアダプタＢは、上記アダプタ３にスクリューキャップ４が取り付けられたものである。
キャップ付きアダプタＢは、スクリューキャップ４のキャップ本体８がアダプタ３の外周面のネジ部７に完全に螺合されていると共に、スクリューキャップ４の環状部９がアダプタ３の外周面に外嵌され、この環状部９がキャップ本体８の緩方向に回転しないようにアダプタ３に係合している。
【００４７】
具体的には、上記アダプタ３の接続部５からスクリューキャップ４を挿入し、スクリューキャップ４を、キャップ本体８の締方向に回していく。キャップ本体８の回転に従い、キャップ本体８のネジ部８７が、アダプタ３のネジ部７に螺合していく。キャップ本体８と環状部９は、キャップ嵌合凸部９４とキャップ嵌合凹部８４において嵌合しているので、キャップ本体８と共に環状部９は締方向に回転し、スクリューキャップ４を螺合している途中で、両者が分離することはない。
そして、環状部被係合部９３が取付部係合部６３に接する所までキャップ本体８が螺合されると、環状部被傾斜面９３ａが取付部傾斜面６３ａを乗り越えていくので、スクリューキャップ４の回転が阻害されず、スクリューキャップ４をアダプタ３に完全に螺合できる。
このようにしてキャップ付きアダプタＢを得ることができる。
【００４８】
スクリューキャップ４がアダプタ３に完全に螺合した状態においては、キャップ本体８のシール部８５によってアダプタ３の接続部５の開口が塞がれていると共に、キャップ本体８によってアダプタ３の接続部５が封緘され、さらに、環状部９の上端面が取付部６の小突部６６と取付部係合部６３の間に位置していると共に、環状部９の環状部被係合部９３がアダプタ３の取付部係合部６３に係合している。
このように環状部被係合部９３と取付部係合部６３が係合することにより、環状部９を緩方向に回そうとしても環状部被係合面９３ｂが取付部係合面６３ｂに当たるので、環状部９を緩方向に回転させることができない。
【００４９】
このキャップ付きアダプタＢは、図１及び図３に示すように、スクリューキャップ４の環状部９の下端面４ａがアダプタ３の取付部６の下端面６ａよりも上方に位置している。従って、キャップ付きアダプタＢを正面から見て、アダプタ３の取付部６の下方部を視認できる。
アダプタ３の全体がスクリューキャップ４によって覆われていると、スクリューキャップ４がアダプタ３に対して完全に螺合しているかどうか目視で判断し難い。この点、本実施形態のキャップ付きアダプタＢによれば、スクリューキャップ４がアダプタ３に対して完全に螺合しているかどうかをその外部から確認できる。
【００５０】
＜キャップ付きアダプタを備えるスパウト付きパウチについて＞
キャップ付きアダプタＢを備えるスパウト付きパウチＡは、次のようにして得ることができる。
スパウト付きパウチＡのスパウト１の注出口から袋２の内部に、充填物を充填する。本発明のスパウト付きパウチＡは、スパウト１から袋２内に充填物を充填できるので、袋２の内部に生じるデッドスペース（充填物が充填されていない空間）を小さくできる。一般的にスパウトが取り付けられていない袋の開口部から充填物を充填すると、比較的大きなデッドスペースが生じるが、本発明のスパウト付きパウチＡにあっては、デッドスペースが小さくなるため、正味の充填量に適合した容量の袋を用いることができる。このため、本発明では、袋のコストや保管運搬費の低減を図ることができる。さらに、本発明のスパウト付きパウチＡに対する充填物の充填は、既存の充填装置を用いて行うことができるので、新たな設備投資を行う必要もない。
【００５１】
充填物を充填した後、スパウト１からキャップ付きアダプタＢを挿入し、これをアダプタ３の締方向に回していく。キャップ付きアダプタＢの回転に従い、アダプタ３のネジ部６８がスパウト１のネジ部１８に螺合していく。キャップ本体８の締方向とアダプタ３の締方向は同じ方向なので、アダプタ３を取り付けている途中で、キャップ本体８がアダプタ３から外れることはない。
そして、アダプタ３の取付部被係合部６１がスパウト係合部１１に接する所までアダプタ３が螺合されると、取付部被傾斜面６１ａがスパウト傾斜面１１ａを乗り越えていくので、アダプタ３の回転が阻害されず、キャップ付きアダプタＢをスパウト１に完全に螺合できる。
このようにしてキャップ付きアダプタＢを備えるスパウト付きパウチＡを得ることができる。
【００５２】
キャップ付きアダプタＢがスパウト１に完全に螺合した状態においては、アダプタ３のシール部６５によってスパウト１の注出口が塞がれていると共に、アダプタ３の取付部被係合部６１がスパウト１のスパウト係合部１１に係合している。
このように取付部被係合部６１とスパウト係合部１１が係合することにより、アダプタ３を緩方向に回そうとしても取付部被係合面６１ｂがスパウト係合面１１ｂに当たるので、アダプタ３を緩方向に回転させることができない。
【００５３】
得られたキャップ付きアダプタＢを備えるスパウト付きパウチＡを使用する場合、キャップ本体８を緩方向に回してアダプタ３を露出させる。
アダプタ３の取付部６が緩方向の回転を規制する回止め手段によってスパウト１に取り付けられているので、キャップ本体８を緩方向に回した際に、アダプタ３がスパウト１から外れることはない。
また、環状部９はアダプタ３の緩方向に回転しないようにアダプタ３に係合しているので、キャップ本体８を回すと、架橋部８９が破断してキャップ本体８のみをアダプタ３から取り外すことができる（図１１参照）。
【００５４】
キャップ本体８を外すことによって露出したアダプタ３の接続部５に、チューブ部材を圧入することにより、チューブ部材を通じて、スパウト付きパウチＡの充填物を患者などに投与できる。チューブ部材は、特に限定されず、単なる柔軟な管（ゴム管や柔軟なプラスチック管など）でもよいし、或いは、特開２００９−１３６４２７号に開示されたような接続管付きの胃ろうカテーテルなどでもよい。
【００５５】
本発明のキャップ付きアダプタＢを備えるスパウト付きパウチＡは、アダプタ３をスパウト付きパウチＡに取り付けるときに、アダプタ３に直接触れないので、チューブ部材を取り付けるアダプタ３に粉塵や雑菌などが付着し難い。
また、キャップ本体８のみを簡単に外すことができる上、使用者がアダプタ３をスパウト付きパウチＡに取り付ける作業も不要であるので、取り扱いが簡便である。
さらに、回止め手段によってアダプタ３がスパウト１から緩まないので、チューブ部材を通じて充填物を注出している途中に、アダプタ３とスパウト１の間から充填物が液漏れしない。さらに、患者や補助者などが誤ってアダプタ３を回そうとしても、アダプタ３がスパウト１から緩むこともない。
【００５６】
さらに、取り外したキャップ本体８は、アダプタ３のネジ部７に再度螺合させることもできる。このため、例えば、充填物の注出を一旦止めてチューブ部材をアダプタ３から引き抜き、アダプタ３にキャップ本体８を再度螺合して、アダプタ３を再封することもできる。再び充填物を注出したい場合には、キャップ本体８をアダプタ３から外し、アダプタ３にチューブ部材を取り付ければよい。
【００５７】
なお、キャップ本体８をアダプタ３から取り外した後、キャップ本体８で再封しても、架橋部８９が破断しているので、キャップ本体８と環状部９は当初のように連結された状態にはならない。従って、環状部９の状態を見れば、キャップ本体８が既に開封されたかどうかを簡単に確認できる。
また、スクリューキャップ４がアダプタ３に完全に螺合した状態において、環状部９は、その上端面が取付部６の小突部６６と取付部係合部６３の間に位置されており、この小突部６６の外径は、キャップ本体８の下方内周面の内径よりも僅かに小さく且つ環状部９の上方内周面の内径よりも僅かに大きい。このため、環状部９をアダプタ３の上方に抜き取ることが困難であるので、悪意者がキャップ本体８を開封後、開封の有無の確認対象となる環状部９を抜き取るという行為を防止できる。
【００５８】
なお、本発明のキャップ付きアダプタ及びこれを備えるスパウト付きパウチは、上記実施形態に限られず、本発明の意図する範囲で適宜変更できる。
例えば、上記実施形態のアダプタ３の接続部５においては、小径接続部５１及び大径接続部５２を有するが、小径接続部５１だけであってもよい。
また、上記実施形態のキャップ本体８は、アダプタ３の接続部５及び取付部６を封緘するように形成されているが、キャップ本体８は、少なくとも接続部５を封緘可能に形成されていればよく、例えば、取付部６の外周面のネジ部７の一部分が露出するようにスクリューキャップ４が取り付けられていてもよい。
【００５９】
また、取付部６のスパウト１に対する回転を規制する回止め手段、及び、環状部９のアダプタ３に対する回転を規制するための係合手段は、上記実施形態の構成に限られず、本発明の意図する範囲で変更できる。
【産業上の利用可能性】
【００６０】
本発明のキャップ付きアダプタを備えるスパウト付きパウチは、チューブ部材を取り付けて、パウチ内の充填物を患者などに投与するために使用できる。
【符号の説明】
【００６１】
Ａ…スパウト付きパウチ、Ｂ…キャップ付きアダプタ、１…スパウト、１８…スパウトのネジ部、２…袋、３…アダプタ、５…接続部、６…取付部、７…アダプタの外周面のネジ部、８…キャップ本体、９…環状部、…８９…架橋部
【図１】
0005688509.tif 000002
【図２】
0005688509.tif 000003
【図３】
0005688509.tif 000004
【図４】
0005688509.tif 000005
【図５】
0005688509.tif 000006
【図６】
0005688509.tif 000007
【図７】
0005688509.tif 000008
【図８】
0005688509.tif 000009
【図９】
0005688509.tif 000010
【図１０】
0005688509.tif 000011
【図１１】
0005688509.tif 000012